(57)【要約】      （修正有）【課題】穀物、ペット用飼料、肥料、園芸用土等の重量のある粒体や粉体あるいは各種液体が収納された重い袋を手提げして歩いても、手提げ孔部の変形が少なく、しかも手に優しく痛くならない重量物充填用の袋を提供する。【解決手段】袋１を構成する前パネル２と後パネル３の間にそのパネル２，３に設けられた第一の手提げ孔４を塞ぐ大きさの補強シート６を挟み込んで熱シールし、かつその補強シート６には第一の手提げ孔４よりも小さな第二の手提げ孔７を前後のパネル２，３の手提げ孔４の内側に配置して設けることにより、手指が第一の手提げ孔４の内周縁に直接接触しないようにすることにより袋１の破損を防止できるとともに、手触り感に優れたポリエチレンフィルムまたは不織布シートを補強シートに採用することにより手指に痛さを感じにくい手提げ孔付袋を提供する。【選択図】図１
2009173334.tif 000002
【特許請求の範囲】
【請求項１】
重量のある粉体や粒体あるいは液体を充填するために厚手のプラスチック製ラミネートフィルムからなる袋であって、その袋を構成する前パネルと後パネルに共通の第一の手提げ孔が形成されおり、
前パネルと後パネルとの間に、ポリエチレン製フィルム又は不織布シートからなる補強シートが第一の手提げ孔を塞ぐ大きさに切断されて挿入されており、
その補強シートには第一の手提げ孔よりも小さな第二の手提げ孔が形成されるとともに、第一の手提げ孔の内側に配置され、
第一の手提げ孔を両側から挟むように袋の両側縁に直交する口元シールが行われることにより補強シートが前パネルと後パネルの間に融着されていることを特徴とする手提げ孔付袋。
【請求項２】
前パネルと後パネルに形成された手提げ孔の内周の上縁と、補強シートに形成された手提げ孔の内周の上縁との距離が５ないし２０ｍｍ離れるように手提げ孔が手提げ孔よりも小さく形成されて配置されている請求項１記載の手提げ孔付袋。
【発明の詳細な説明】
【技術分野】
【０００１】  この発明は、手提げ孔が設けられたラミネートフィルム製の袋において、袋の前後面を形成する前パネルと後パネルの間に、ポリエチレン製フィルム又は不織布シートからなる補強シートを挟み込むことによって、手提げ孔部における強度を向上させるとともに、前パネルと後パネルに設けられた第一の手提げ孔よりも小さな第二の手提げ孔を補強シートに設け、袋を手提げしたときに補強シートが手指に柔らかく接触するようにして充填物の重量が作用しても痛さを感じにくい手触りを優しくした手提げ孔付き袋に関するものである。
【背景技術】
【０００２】  米や豆類等々の穀物、ペット用飼料、肥料、園芸用土等の重量のある粒体や粉体あるいは各種液体を充填する袋の材質は、プラスチック製ラミネートフィルムが主流であり、スーパーマーケットやホームセンター等々の販売店で購入して持ち帰るために、手提げ用の孔が設けられたものがある。
ラミネートフィルム製で手提げ孔が設けられた袋の一例として、特許３４８７３１７号の公報に記載されたものが知られている。
【特許文献１】特許３４８７３１７号公報
【発明の開示】
【発明が解決しようとする課題】
【０００３】  前記特許３４８７３１７号公報に記載された袋５１は、米袋としてその発明が開示されており、この発明はラミネートフィルムからなるもので、図４に示すように一端に把手５２が形成され、口元シール５３と把手シール５４の間に単一の手提げ孔５５が設けられている。この袋５１には、手提げ孔５５が設けられているので販売店で購入した後に手提げして持ち帰ることができるが、手提げしたときに５ｋｇ〜１０ｋｇ入りの袋では米の重量により発生する応力を手指の腹で支えるため図５に示すように手提げ孔５５が変形し、手提げ孔５５の上部周縁における手指の人差し指近辺のＸ部及び小指近辺のＹ部に集中するため、その部分が延びて変形し易く、フィルムに亀裂Ｚが入って裂けやすくなる欠点があった。【０００４】  また、ラミネートフィルムはその素材の性質上比較的硬く、打ち抜かれた手提げ孔の周縁が手指の腹に当たって痛さを感じ手触りが悪い。打ち抜き刃物の切れ味が落ちてくるとギザギザとなり、さらに手触りが悪くなる欠点があった。【０００５】  上記手提げ孔５５周辺のフィルムが延びることを防止するために、手提げ孔５５の周囲を５〜１０ｍｍ幅で熱シールして強化する方法も試みられているが、フィルムが熱シールされるとそのシール部分が硬化するため、重い袋を手提げして歩くときに硬化部分が手指の腹に強く当たって痛くなり、手提げすることすらできなくなる。特に園芸用土は水分を含ませたものが多くあり、重量が大きく、手が痛くなって手提げして運搬することはできなかった。比重の大きな液体が充填された袋においては、手提げの役には立たなかった。【０００６】  この発明は、上述の課題を解決するためになされたもので、その目的は、米や豆類等の穀物、ペット用飼料、肥料、園芸用土等の重量のある粒体や粉体あるいは各種液体が収納された重い袋を手提げして歩いても、手提げ孔部の変形が少なく、しかも手に優しく痛くならない重量物充填用の袋を提供することにある。
【課題を解決するための手段】
【０００７】  上記目的を達成するために、重量のある粒体や粉体あるいは各種液体が充填された袋をその手提げ孔に手指を通して持ち下げた時に作用する力を分散するための手に優しく接触する補強シートを袋の前パネルと後パネルの間に挟み込んで熱シールし、かつその補強シートには前パネルと後パネルに設けられた手提げ孔よりも小さく形成された手提げ孔を設けたことを特徴とするものである。
さらに具体的には、
プラスチック製ラミネートフィルムからなり、かつ袋を構成する前パネルと後パネルに共通の第一の手提げ孔が形成された袋であって、
前パネルと後パネルとの間に、ポリエチレン製フィルム又は不織布シートからなる補強シートが第一の手提げ孔を塞ぐ大きさに切断されて挿入されており、
その補強シートには第一の手提げ孔よりも小さな第二の手提げ孔が形成され、その手提げ孔は第一の手提げ孔の内側に配置され、
第一の手提げ孔を挟むように袋の両側縁に直交する２本または複数条、あるいは格子状等々の口元シールが行われることにより補強シートが前パネルと後パネルの間に融着されていることを特徴とする手提げ孔付袋である。
また、前パネルと後パネルに形成された手提げ孔の内周の上縁部と、補強シートに形成された手提げ孔の内周の上縁部との距離が５ないし２０ｍｍ離れるように手提げ孔が手提げ孔よりも小さく形成されて配置されていることを特徴とする手提げ孔付袋である。
【発明の効果】
【０００８】  上記の構成とすることにより、重量のある粒体や粉体あるいは各種液体が充填された袋の手提げ孔に手指を挿入して持ち下げた時、補強シートの手提げ孔の内周の上縁部は掌と反対側、即ち指先側へＬ字状に折れ曲がって手指に当たることとなる。この時、前パネルと後パネルの手提げ孔の上縁には充填物の重量による応力は直接作用しないため手提げ孔の内周の上縁部のいずれも掌に強く当たらない。
ラミネートフィルムよりも柔らかく手触りのよい素材からなるポリエチレンフィルムまたは不織布シートから作られた補強シートの手提げ孔を、前後のパネルの手提げ孔よりも小さく形成することにより、補強シートが折れ曲がって手の指腹に所定の幅を持って接触する手に優しい袋とすることができる。
補強シートが前後のパネルの間に介在することにより、充填物の重量による応力は補強シートに分散し、パネルの手提げ孔の周辺に集中せず、よって手提げ孔部の破損を防ぐ袋となる。
【発明を実施するための最良の形態】
【０００９】  以下、この発明の実施例を図１ないし図３に示す図面に基づいて説明する。
袋１は２枚のシートが重ね合わされており、前パネル２に充填物の品名や銘柄、後パネル３にメーカー名や精米所名等々が印刷されている。重ね合わされた前パネル２と後パネル３の所定位置に、第一の手提げ孔４と手提げ孔５が刃物で打ち抜かれている。この手提げ孔４、５は従来の手提げ孔よりも大きく形成されるものである。【００１０】  前パネル２と後パネル３を一旦上下に分離し、その間へ第一の手提げ孔４、５を塞ぐ大きさに切断された補強シート６を挿入して後パネル３の内面にに重ねた後、位置ズレを防ぐための仮止めを行う。仮止めの方法は、熱によるポイントシール、接着等々あまり強度を必要としない手段でよい。補強シート６の材質は、手に直接触れても痛さを感じにくいポリエチレンや不織布からなる。【００１１】  続いて補強シート６に前記前パネル２と後パネル３に加工された手提げ孔４、５よりも一回り小さく形成された第二の手提げ孔７を刃物で打ち抜く。
第一の手提げ孔４、５の下部周縁４ａ、５ａと第二の手提げ孔７の下部周縁７ａはその位置が一致しているが、第二の手提げ孔７の上部周縁７ｂは第一の手提げ孔４、５の上部周縁４ｂ、５ｂから所定距離だけ下方へ離れた内側に位置している。補強シート６における手提げ孔７の上部周縁７ｂと前後のパネル２、３における手提げ孔４、５の上部周縁４ｂ、５ｂとの距離Ｘは、５ｍｍから２０ｍｍぐらいが好ましい。
上記距離Ｘが小さいと、袋１が充填物の重量で変形したときに前後のパネル２、３における手提げ孔４、５の上部周縁４ｂ、５ｂが手指の腹に直接当たって痛さを感ずるようになる。【００１２】  手提げ孔４、５が一致するように前パネル２と後パネル３を再び重ね合わせ、フィルムの流れ方向の両側縁に直線状の側縁シール８を行う。続いてフィルムの流れ方向に直角方向に直線状に手提げ孔４、５を挟んで上下に下口元シール９と上口元シール１０を行う。上口元シール１０と若干の距離を保って補強シール１１を行う。補強シール１１は手提げ孔４、５の上部に形成された把手部１２を幅広く取るために行うが、必要としない場合もある。【００１３】  下口元シール９と上口元シール１０が行われた袋体は、ギロチンカッターで一枚ずつカットして単葉の袋に仕上げるか、もしくは連続してロール状に巻取る。
単葉の袋の場合は、充填物を充填した後で底シールを行うことにより密封して商品とする。ロール状に巻き取られたものでは、その都度単葉にカットして充填物を充填した後底シールを行って密封する。【００１４】  重量のある粒体や粉体あるいは液体等が充填された袋１において、手提げ孔４、５、７に手指を通して持ち下げると（図３に示す）、補強シート６の手提げ孔上部周縁６ａが掌と反対側へほぼＬ字状に折れ曲って、その部分が手指に当たり、前後のパネル２、３の手提げ孔４、５の上部周縁４ｂ、５ｂが直接当たることはない。【００１５】  補強シート６に不織布を採用した場合、不織布には小さな空隙が内在しているので、袋内の粒体や粉体等の充填部１３と手提げ孔７との間に下口元シール９を行っても空気は流通可能であり、空気抜きの通路として利用することができる。袋内に空気が充満していると積み重ねたときに不安定となるが、手提げ孔４、５を通して空気抜きができれば安定した平らな状態で積み重ねることが出来る。【００１６】  上記実施例では下口元シール９と上口元シール１０がそれぞれ一条のみ直線状に行われているが、複数条の口元シールを行ってもよい。また、口元シールを格子状に行ったり、充填物が漏れ出すおそれがない粒体の場合には多数の点からなる口元シールであってもよい。
【図面の簡単な説明】
【００１７】
【図１】は、この発明の実施の形態に係る袋の構成を示す正面図である。
【図２】は、同袋の一部を破断した正面図である。
【図３】は、同袋に充填物を充填した使用状態における断面図である。
【図４】は、従来の袋の斜視図である。
【図５】は、同袋に充填物を充填した状態の正面図である。
【符号の説明】
【００１８】１・・・袋
２・・・前パネル
３・・・後パネル
４・・・手提げ孔
５・・・手提げ孔
６・・・補強シート
７・・・手提げ孔
８・・・側縁シール
９・・・下口元シール
１０・・上口元シール
【図１】
2009173334.tif 000003
【図２】
2009173334.tif 000004
【図３】
2009173334.tif 000005
【図４】
2009173334.tif 000006
【図５】
2009173334.tif 000007